(57)【要約】【課題】接続部材を接続するときの作業性が良いコネクタを提供する。【解決手段】ハウジング２の挿入凹部８に挿入されたスライダ４が、押込位置から引出位置へ移動させる途中で、コンタクト３の弾性アーム３２の接点部３３側から遠ざかるように案内部５１〜５３によって案内される。押込位置にあるスライダ４とコンタクト３の弾性アーム３２の接点部３３との間に形成される最小隙間が、電線７（接続部材）の厚みｔよりも小さい第１隙間Ｓ１に設定される。スライダ４が押込位置にある状態で、電線７をコネクタ１に接続するときに、電線７によって前記隙間を拡げつつ、電線７を挿入凹部８に挿入する。【選択図】図１４Ａ
2020092058.tif 000002
【特許請求の範囲】
【請求項１】
接続部材が挿入方向に沿って挿入される挿入凹部が形成されたハウジングと、
前記挿入凹部に挿入された状態で、前記挿入方向側の位置であって前記挿入凹部への前記接続部材の挿入を待つ押込位置と前記挿入方向の反対側の引出位置とにスライドされるスライダと、
前記挿入凹部に挿入される前記接続部材を前記押込位置にある前記スライダとの間に弾性的に挟持する接点部を有する弾性片部を含み、前記ハウジングに支持されるコンタクトと、
前記スライダを前記押込位置から前記引出位置へ移動させる途中で前記スライダを前記接点部側から遠ざかる側へ変位させるように前記スライダを案内する案内機構と、を備え、
前記スライダが、前記押込位置で前記挿入凹部への前記接続部材の挿入を待つ待機状態にあるときに、当該押込位置の前記スライダと前記接点部との間に形成される最小隙間である第１隙間が、前記接続部材の厚みよりも小さくされ、
前記引出位置の前記スライダと前記接点部との間に形成される最小隙間である第２隙間が、前記接続部材の厚みよりも大きくされている、コネクタ。
【請求項２】
請求項１に記載のコネクタにおいて、前記案内機構が、前記スライダの前記接点部側の面とは反対側の面である反対側面と前記反対側面と対向する前記ハウジングの対向面との何れか一方に設けられて、他方と当接する案内部を含み、
前記案内部が、前記挿入方向に平行な平坦面である前記引押込位置側の第１案内部と、前記挿入方向に平行な平坦面であって前記第１案内部よりも前記引出位置側に配置される第２案内部と、前記第１案内部と前記第２案内部とを接続し、前記挿入方向に対して傾斜し、前記スライダの前記引出位置への移動に伴って前記スライダを前記接点部から遠ざける側へ駆動する第３案内部と、を含む、コネクタ。
【請求項３】
請求項１又は２に記載のコネクタにおいて、前記スライダを前記押込位置に係止するスライダロック機構を備え、
前記スライダロック機構が、前記ハウジング及び前記スライダの何れか一方に設けられた凹部と、前記ハウジング及び前記スライダの他方に設けられて弾性的に揺動され、前記スライダが前記押込位置あるときに前記凹部に対して係合される凸部としてのフック部を有するロックアームと、を含む、コネクタ。
【請求項４】
請求項３に記載のコネクタにおいて、前記ハウジング及び前記スライダの前記一方が、前記スライダが引出位置にあるときに前記フック部と対向し前記凹部よりも前記ロックアーム側に配置される仮保持部としての引出位置対向部を含み、
前記スライダが前記引出位置にあるときに前記フック部が前記ハウジング及び前記スライダの前記一方の前記引出位置対向部を弾性的に押圧することにより、前記スライダが前記引出位置に仮保持されるように構成されている、コネクタ。
【請求項５】
請求項４に記載のコネクタにおいて、前記ハウジング及び前記スライダの前記一方は、前記スライダが前記引出位置と前記押込位置との間にスライドされるときに、前記フック部から押圧力を受ける状態で前記フック部と摩擦摺動する摩擦摺動部を含み、
前記スライダが前記押込位置に達するときに、前記フック部が、前記押圧力を解放する状態で前記ハウジング及び前記スライダの前記一方の前記凹部に係合されるように構成されている、コネクタ。
【請求項６】
請求項１〜５の何れか一項に記載のコネクタにおいて、
ＦＰＣ及びＦＦＣの何れか一方で構成される、前記接続部材としての平形接続部材を前記挿入凹部に対する挿入完了位置に係止する接続部材ロック機構を備え、
前記接続部材ロック機構が、前記平形接続部材の前記挿入方向に沿う縁部に設けられた係合部と、前記ハウジングに設けられて弾性的に揺動され、前記平形接続部材の前記挿入完了位置で前記係合部と係合するフック部を有するロックアームと、を含み、
前記接続部材が前記挿入完了位置にある状態で前記スライダが前記押込位置から前記引出位置に変位されるときに、前記コンタクトの前記弾性アームによる前記接続部材を介する押圧力で前記スライダが前記挿入方向と直交する方向に所定量変位されることにより、前記接続部材の前記係合部と前記ロックアームの前記フック部との係合が解除されるように、前記所定量が、前記接続部材ロック機構の前記フック部と前記平形接続部材の前記係合部との係合代よりも大きくされている、コネクタ。
【発明の詳細な説明】
【技術分野】
【０００１】
本発明は、コネクタに関する。
【背景技術】
【０００２】
特許文献１に開示される電気コネクタでは、ハウジングの基板挿入口に対して、スライダ押圧板が挿入途中位置まで挿入された状態で、スライダ押圧板がコンタクトの一部と当接することにより、スライダ押圧板が前記挿入途中位置に仮保持される。
そのスライダ押圧板の仮保持状態で、印刷配線板が基板挿入口に挿入される。印刷配線板の挿入の際に、印刷配線板から摩擦摺動力を及ばされるスライダ押圧板が、連られて移動されることが、前記仮保持の働きで防止される。
【０００３】
印刷配線後の挿入後に、スライダ押圧板が挿入完了位置まで挿入される。これにより、コンタクト片が弾性変形されて、コンタクト片の接点部が印刷配線板に押圧される。これにより、印刷配線板とコンタクトとの電気的接続が達成される。
【先行技術文献】
【特許文献】
【０００４】
【特許文献１】特開２００５−５６７４５号公報
【発明の概要】
【発明が解決しようとする課題】
【０００５】
特許文献１では、印刷配線板を挿入した後で、スライダ押圧板を押し下げる作業が必要であるため、作業性が悪い。
本発明の目的は、接続部材を接続するときの作業性が良いコネクタを提供することである。
【課題を解決するための手段】
【０００６】
請求項１に記載の発明は、接続部材（７；７Ｐ）が挿入方向（Ｘ１）に沿って挿入される挿入凹部（８）が形成されたハウジング（２；２Ｐ）と、前記挿入凹部に挿入された状態で、前記挿入方向側の位置であって前記挿入凹部への前記接続部材の挿入を待つ押込位置と前記挿入方向の反対側の引出位置とにスライドされるスライダ（４）と、前記挿入凹部に挿入される前記接続部材を前記押込位置にある前記スライダとの間に弾性的に挟持する接点部（３３；６３）を有する弾性アーム（３２；３２Ｐ）を含み、前記ハウジングに支持されるコンタクト（３；３Ｐ）と、前記スライダを前記押込位置から前記引出位置へ移動させる途中で前記スライダを前記接点部側から遠ざかる側へ変位させるように前記スライダを案内する案内機構（５）と、を備え、前記スライダが、前記押込位置で前記挿入凹部への前記接続部材の挿入を待つ待機状態にあるときに、当該押込位置の前記スライダと前記接点部との間に形成される最小隙間である第１隙間（Ｓ１）が、前記接続部材の厚み（ｔ）よりも小さくされ、前記引出位置の前記スライダと前記接点部との間に形成される最小隙間である第２隙間（Ｓ２）が、前記接続部材の厚みよりも大きくされている、コネクタ（１；１Ｐ）を提供する。
【０００７】
なお、括弧内の英数字は、後述する実施形態における対応構成要素等を表すが、このことは、むろん、本発明がそれらの実施形態に限定されるべきことを意味するものではない。以下、この項において同じ。
請求項２に記載の発明のように、請求項１において、前記案内機構が、前記スライダの前記接点部側の面（４２ｂ）とは反対側の面である反対側面（４２ａ）と前記反対側面と対向する前記ハウジングの対向面との何れか一方に設けられて、他方と当接する案内部を含み、前記案内部が、前記挿入方向に平行な平坦面である前記引押込位置側の第１案内部（５１）と、前記挿入方向に平行な平坦面であって前記第１案内部よりも前記引出位置側に配置される第２案内部（５２）と、前記第１案内部と前記第２案内部とを接続し、前記挿入方向に対して傾斜し、前記スライダの前記引出位置への移動に伴って前記スライダを前記接点部から遠ざける側へ駆動する第３案内部（５３）と、を含んでいてもよい。
【０００８】
請求項３に記載の発明のように、請求項１又は２において、前記スライダを前記押込位置に係止するスライダロック機構（５）を備え、前記スライダロック機構が、前記ハウジング及び前記スライダの何れか一方に設けられた凹部（１２）と、前記ハウジング及び前記スライダの他方に設けられて弾性的に揺動され、前記スライダが前記押込位置あるときに前記凹部に対して係合される凸部としてのフック部（４４ｂ）を有するロックアーム（４４）と、を含んでいてもよい。
【０００９】
請求項４に記載の発明のように、請求項３において、前記ハウジング及び前記スライダの前記一方が、前記スライダが引出位置にあるときに前記フック部と対向し前記凹部よりも前記ロックアーム側に配置される仮保持部としての引出位置対向部（１１ａ）を含み、前記スライダが前記引出位置にあるときに前記フック部が前記ハウジング及び前記スライダの前記一方の前記引出位置対向部を弾性的に押圧することにより、前記スライダが前記引出位置に仮保持されるように構成されていてもよい。
【００１０】
請求項５に記載の発明のように、請求項４において、前記ハウジング及び前記スライダの前記一方は、前記スライダが前記引出位置と前記押込位置との間にスライドされるときに、前記フック部から押圧力を受ける状態で前記フック部と摩擦摺動する摩擦摺動部（１１）を含み、前記スライダが前記押込位置に達するときに、前記フック部が、前記押圧力を解放する状態で前記ハウジング及び前記スライダの前記一方の前記凹部に係合されるように構成されていてもよい。
【００１１】
請求項６に記載の発明のように、請求項１〜５の何れか一項において、ＦＰＣ及びＦＦＣの何れか一方で構成される、前記接続部材としての平形接続部材（７Ｐ）を前記挿入凹部に対する挿入完了位置に係止する接続部材ロック機構（９）を備え、前記接続部材ロック機構が、前記平形接続部材の前記挿入方向に沿う縁部（７Ｐａ）に設けられた係合部（７１ａ）と、前記ハウジングに設けられて弾性的に揺動され、前記平形接続部材の前記挿入完了位置で前記係合部と係合するフック部（９２ｂ）を有するロックアーム（９２）と、を含み、前記接続部材が前記挿入完了位置にある状態で前記スライダが前記押込位置から前記引出位置に変位されるときに、前記コンタクトの前記弾性アームによる前記接続部材を介する押圧力で前記スライダが前記挿入方向と直交する方向に所定量（ｋ）変位されることにより、前記接続部材の前記係合部と前記ロックアームの前記フック部との係合が解除されるように、前記所定量が、前記接続部材ロック機構の前記フック部と前記平形接続部材の前記係合部との係合代（ｅ）よりも大きくされていてもよい（ｋ＞ｅ）。
【発明の効果】
【００１２】
請求項１に記載の発明では、スライダが押込位置に配置された状態で、スライダとコンタクトの接点部との間に形成される最小隙間が、接続部材の厚みよりも小さい第１隙間に設定される。スライダが押込位置にある状態で、接続部材によって前記隙間を拡げつつ、接続部材を挿入凹部に挿入する。このため、接続部材の挿入時や挿入後に、スライダを操作する作業が不要であり、作業性が向上する。また、接続部材の挿入時に、ワイピング効果を得ることができる。
【００１３】
また、スライダが引出位置に変位された状態で、スライダと接点部との間に形成される最小隙間が、接続部材の厚みよりも大きい第２隙間に設定される。この第２隙間を通して、接続部材を挿入凹部から無抜脱力で容易に抜脱することができる。このため、接続部材を抜脱して、当該接続部材や別の接続部材を再挿入するときの作業性が向上する。
請求項２に記載の発明では、スライダを押込位置から引出位置に移動させるときに、スライダが、案内機構の各案内部によって案内される途中で、第３案内部によって接点部側から遠ざかる側へ案内される。
【００１４】
請求項３に記載の発明では、スライダロック機構のロックアームのフック部が、例えばハウジングの凹部に対して凹凸係合することにより、スライダが押込位置に係止される。このため、接続部材の挿入作業時にスライダが押込位置からずれることがなく、作業性が向上する。
請求項４に記載の発明では、ロックアームのフック部が、例えばハウジングの引出位置対向部を弾性的に押圧することにより、スライダが引出位置に仮保持される。このため、挿入凹部から接続部材を抜脱する作業が行い易く、作業性が向上する。スライダを押込位置に係止するスライダロック機構が、スライダを引出位置に仮保持する機能を果たすので、別途に仮保持機構を設ける場合と比較して、構造を簡素化することができる。
【００１５】
請求項５に記載の発明では、作業者がスライダを押込位置に移動させる作業のときに、ロックアームのフック部が、例えばハウジングの摩擦摺動部に対して押圧力を及ぼして摩擦摺動する状態から、ロックアームの押圧力が解放される状態に移行する。これにより、作業者が、押込位置でクリック感を得ることができる。このため、目視等での確認作業が不要となり、作業性が向上する。
【００１６】
請求項６に記載の発明では、平形接続部材が挿入完了位置にある状態でスライダを引出位置に変位させると、自動的に、接続部材ロック機構による平形接続部材に対するロックが解除される。このため、平形接続部材の抜脱作業が行い易く、作業性が向上する。
【図面の簡単な説明】
【００１７】
【図１】図１（ａ）は、本発明の第１実施形態に係るコネクタの正面図であり、図１（ｂ）は、コネクタの側面図である。
【図２】図２は、コネクタの背面図である。
【図３Ａ】図３Ａは、コネクタの平面図である。
【図３Ｂ】図３Ｂは、コネクタの底面図である。
【図４】図４（ａ）は、接続部材が接続されたコネクタの正面図であり、図４（ｂ）は、接続部材が接続されたコネクタの側面図である。
【図５】図５は、接続部材が接続されたコネクタの一部破断平面図である。
【図６Ａ】図６Ａは、スライダが押込位置にある状態におけるコネクタの断面図である。
【図６Ｂ】図６Ｂは、スライダが引出位置にある状態におけるコネクタの断面図である。
【図７Ａ】図７Ａは、コネクタの別角度からの断面図であり、スライダが押込位置にある状態を示している。
【図７Ｂ】図７Ｂは、コネクタの別角度からの断面図であり、スライダが引出位置にある状態を示している
【図８Ａ】図８Ａは、コンタクトの平面図である。
【図８Ｂ】図８Ｂは、コンタクトの正面図である。
【図９】図９（ａ）は、ハウジングの正面図であり、図９（ｂ）は、ハウジングの側面図である。
【図１０】図１０は、ハウジングの背面図である。
【図１１Ａ】図１１Ａは、ハウジングの平面図である。
【図１１Ｂ】図１１Ｂは、ハウジングの底面図である。
【図１２】図１２（ａ）は、スライダの正面図であり、図１２（ｂ）は、スライダの側面図である。
【図１３Ａ】図１３Ａは、スライダの背面図である。
【図１３Ｂ】図１３Ｂは、スライダの平面図である。
【図１３Ｃ】図１３Ｃは、スライダの底面図である。
【図１４Ａ】図１４Ａは、接続部材の接続工程におけるコネクタの断面図であり、押込位置にあるスライダと接点部との間に接続部材が挿入される直前の状態を示している。
【図１４Ｂ】図１４Ｂは、接続部材の接続工程におけるコネクタの断面図であり、接続部材の接続が完了された状態を示している。
【図１５Ａ】図１５Ａは、接続部材の抜脱工程におけるコネクタの断面図であり、スライダが押込位置から引出位置に移動された状態を示している。
【図１５Ｂ】図１５Ｂは、接続部材の抜脱工程におけるコネクタの断面図であり、スライダが引出位置にある状態で接続部材が抜脱された状態を示している。
【図１６】図１６（ａ）及び（ｂ）は、本発明の第２実施形態におけるコネクタの互いに別角度からの断面図であり、接続部材の接続工程において押込位置にあるスライダと接点部との間に接続部材が挿入される直前の状態を示している。
【図１７】図１７（ａ）及び（ｂ）は、第２実施形態におけるコネクタの互いに別角度からの断面図であり、接続部材の接続工程において接続部材の接続途中の状態を示している。
【図１８】図１８（ａ）及び（ｂ）は、第２実施形態におけるコネクタの互いに別角度からの断面図であり、接続部材の接続工程において接続部材の接続が完了された状態を示している。図１８（ｃ）は、接続部材ロック機構の要部の概略拡大図である。
【図１９】図１９（ａ）及び（ｂ）は、第２実施形態におけるコネクタの互いに別角度からの断面図であり、接続部材の抜脱工程においてスライダが引出位置に変位された状態を示している。
【発明を実施するための形態】
【００１８】
以下、本発明を具体化した実施形態を図面に従って説明する。
（第１実施形態）
図１（ａ）及び図１（ｂ）は、本発明の第１実施形態に係るコネクタの正面図及び平面図である。図２は、コネクタ１の背面図である。図３Ａは、コネクタ１の平面図である。図３Ｂは、コネクタ１の底面図である。図４（ａ）は、接続部材としての電線７が接続されたコネクタ１の正面図であり、図４（ｂ）は、電線７が接続されたコネクタ１の側面図である。図５は、電線７が接続されたコネクタ１の一部破断平面図である。
【００１９】
図６Ａは、コネクタ１の断面図であり、図１（ａ）のＶＩＡ−ＶＩＡ断面図に相当する。図７Ａは、コネクタ１の断面図であり、図５のＶＩＩＩＡ−ＶＩＩＩＡ断面図に相当する。
図１〜図５を参照して、コネクタ１は、ハウジング２と、コンタクト３と、スライダ４と、案内機構５（図６Ａ及び図６Ｂを参照）と、スライダロック機構６（図７Ａを参照）とを備える。ハウジング２は、接続部材としての電線７が挿入方向Ｘ１に挿入される挿入凹部８（図６Ａ，図１４Ａ及び図１４Ｂを参照）を形成している。図６Ａに示すように、コンタクト３は、ハウジング２によって支持されている。挿入凹部８には、スライダ４の一部が挿入される。
【００２０】
図４（ａ）及び図５に示すように、併設された複数の電線７によってケーブルＣが構成されている。各電線７は、芯線７１と被覆部７２とを含む（図１４Ａも参照）。芯線７１は、電線７の端部において被覆部７２から露出されている。隣接する電線７の被覆部７２どうしは、連結部７３を介して互いに連結されている。
次いで、コンタクト３を説明する。
【００２１】
図８Ａは、コンタクト３の平面図である。図８Ｂは、コンタクト３の正面図である。
図８Ａ及び図８Ｂに示すように、コンタクト３は、第１固定部３１と、接点部３３を有する弾性アーム３２と、延設部３４と、第２固定部３５と、リード部３６とを含む。
第１固定部３１は、矩形板状をなし、ハウジング２のコンタクト固定孔２６（図６Ａを参照）に圧入固定される。第１固定部３１は、複数の係止突起３１ａを有している。弾性アーム３２は、第１固定部３１から挿入方向Ｘ１に対して傾斜状に延びている。弾性アーム３２は、第１固定部３１に接続された基端部３２ａと、先端部３２ｂとを含む。弾性アーム３２の先端部３２ｂに、接点部３３が設けられている。弾性アーム３２は、基端部３２ａを支点として弾性的に揺動される（図８Ｂの矢符を参照）。
【００２２】
第２固定部３５は、第１固定部３１から挿入方向Ｘ１に延びる延設部３４を介して第１固定部３１と連結されており、ハウジング２に固定される。リード部３６は、第２固定部３５から挿入方向Ｘ１に延びハウジング２外へ突出する（図６Ａを参照）。リード部３６は、リード部本体３７と、リード部本体３７から切り起こされた係止片３８とを含む。係止片３８は、挿入方向Ｘ１の反対方向である抜脱方向Ｘ２側へ傾斜状に延びている。係止片３８は、弾性的に揺動される。
【００２３】
リード部３６は、コネクタ１が取り付けられる基板（図示せず）の挿通孔に挿通された状態で、係止片３８が、基板の裏面に引っ掛け係止される。
次いで、ハウジング２を説明する。
図９（ａ）及び図９（ｂ）は、ハウジング２の正面図及び側面図である。図１０は、ハウジング２の背面図である。図１１Ａ及び図１１Ｂは、ハウジング２の平面図及び底面図である。
【００２４】
図９〜図１１Ｂを参照して、ハウジング２は、前壁部２１と、後壁部２２と、一対の側壁部２３と、底壁部２４と、複数の仕切り壁２５と、複数のコンタクト固定孔２６と、一対のロックアーム挿入孔２７とを含む。後壁部２２は、前壁部２１よりも底壁部２４からの高さが低くされている。挿入凹部８は、前壁部２１と後壁部２２と一対の側壁部２３とによって区画形成されている。
【００２５】
複数のコンタクト固定孔２６は、後壁部２２に形成され、左右方向に並んで配置されている。各コンタクト固定孔２６は、断面Ｔ字形形状に形成され、後壁部２２及び底壁部２４を挿入方向Ｘ１に貫通している。各コンタクト３の係止突起３１ａは、対応するコンタクト固定孔２６のＴ字の横バー部分の両端部に圧入係止される。
各コンタクト固定孔２６は、挿入凹部８に連通している（図６Ａを参照）。各コンタクト３の弾性アーム３２が、コンタクト固定孔２６のＴ字の縦バー部分を通して挿入凹部８内に突出している。
【００２６】
一対のロックアーム挿入孔２７は、挿入凹部８の一対の側部に隣接して配置され、挿入方向Ｘ１に長手に延びる貫通孔である。一対のロックアーム挿入孔２７に、スライダ４の一対のロックアーム４４が挿入配置される（図７Ａ及び図７Ｂを参照）。
図１１Ａに示すように、各側壁部２３の上部の一部は、スライダ４の案内溝４５ｃ（図１３（ｂ）を参照）と嵌合してスライダ４の挿抜を案内する案内条２３ａとして機能する。各側壁部２３の上部の外面（案内条２３ａの外面２３ｂ）は、スライダ４の外側方への移動を規制する規制部として機能する。
【００２７】
仕切り壁２５は、後壁部２２から挿入凹部８側へ突出し、隣接するコンタクト固定孔２６間を仕切っている。仕切り壁２５は、後壁部２２において高さ方向の途中部から底壁部２４までの範囲に配置されている。仕切り壁２５は、コンタクト固定孔２６から挿入凹部８側へ突出する弾性アーム３２が、隣接するコンタクト３側へ変形することを規制する機能を果たす。また、仕切り壁２５は、押込位置にあるスライダ４の下部を前壁部２１との間で前後方向に位置決めする機能を果たす。
【００２８】
前壁部２１は、外面２１ａと、内面２１ｂと、上面２１ｃとを含む。前壁部２１の内面２１ｂは、スライダ４の後述する挿入凸部４２の接点部３３側の面（後面４２ｂ）とは反対側の面である反対側面（前面４２ａ）と対向する対向面である。
図６Ａに示すように、前壁部２１の上面２１ｃは、スライダ４のスライダ本体４１の下面４１ｄと当接することにより、スライダ４１を押込位置に位置決めする位置決め部として機能する。
【００２９】
次いで、案内機構５を説明する。
案内機構５は、スライダ４を押込位置（図６Ａ参照）から引出位置（図６Ｂ参照）へ移動させる途中で、スライダ４を接点部３３側から遠ざかる側へ変位させるようにスライダ４を案内する機能を果たす。
図６Ａ及び図６Ｂに示すように、案内機構５は、ハウジング２に設けられている。具体的には、案内機構５は、前壁部２１の内面２１ｂに形成されてスライダ４の反対側面（前面４１ａ）と対向する案内部として、第１案内部５１と、第２案内部５２と、第３案内部５３とを含む。
【００３０】
第１案内部５１と第２案内部５２とは、挿入方向Ｘ１に平行な平坦面である。
第１案内部５１が、押込位置側に配置され、第２案内部５２は、第１案内部５１よりも引出位置側に配置されている。
第３案内部５３は、第１案内部５１と第２案内部５２とを接続し、挿入方向Ｘ１に対して傾斜している。第３案内部５３は、スライダ４の引出位置への移動に伴ってスライダ４を接点部３３から遠ざける側へ駆動する駆動部として機能する。
【００３１】
次いで、スライダ４を説明する。
図１２（ａ）は、スライダ４の正面図であり、図１２（ｂ）は、スライダ４の側面図である。図１３Ａは、スライダ４の背面図である。図１３Ｂは、スライダ４の平面図である。図１３Ｃは、スライダ４の底面図である。
図１２〜図１３Ｃを参照して、スライダ４は、スライダ本体４１と、挿入凸部４２と、接続部４３と、一対のロックアーム４４と、一対の案内枠４５とを含む。
【００３２】
スライダ本体４１は、左右方向に長い矩形板で形成されており、前面４１ａと、後面４１ｂと、上面４１ｃと、下面４１ｄとを含む。一対の案内枠４５は、スライダ本体４１の一対の側部から延設されている。
挿入凸部４２は、左右方向に長い矩形板で形成されている。接続部４３は、スライダ本体４１に対して挿入凸部４２が後方へオフセットするように接続する屈曲板である。
【００３３】
図１２（ａ）及び（ｂ）に示すように、接続部４３は、側方から見てスライダ本体４１から挿入方向Ｘ１に真直に延びる第１部分４３１と、第１部分４３１の延設端から後斜めに傾斜状に延びる第２部分４３２とを含む。
挿入凸部４２は、接続部４３の第２部分４３２の延設端から挿入方向Ｘ１に延びている。挿入凸部４２は、前面４２ａと、後面４２ｂと、下面４２ｃと、一対の側面４２ｄとを含む。挿入凸部４２の後面４２ｂが、接点部３３側の面であり、挿入凸部４２の前面４２ａが、接点部３３側の反対側面である。
【００３４】
各案内枠４５は、スライダ本体４１の側部から外側方へ延びる前枠４５ａと、前枠４５ａの外側縁から後方へ直交状に延びる側枠４５ｂとを含む。各案内枠４５とスライダ本体４１の対応する側部との間に形成される案内溝４５ｃに対して、ハウジング２の側壁部２３の案内条２３ａが嵌合されている。案内条２３ａと案内溝４５ｃの働きで、スライダ４が、挿入方向Ｘ１及び抜脱方向Ｘ２に案内される。
【００３５】
スライダ４は、挿入凹部８に挿入される。スライダ４は、挿入方向Ｘ１側の押込位置（図６Ａ参照）と、抜脱方向Ｘ２側の引出位置（図６Ｂを参照）とにスライド可能にハウジング２によって支持されている。スライダ４の押込位置（図６Ａを参照）は、挿入凹部８への電線７の挿入を待つ位置（挿入待機位置）として構成されている。スライダ４の引出位置（図６Ｂを参照）は、挿入凹部８からの電線７の抜脱を待つ位置（抜脱待機位置）として構成されている。
【００３６】
図６Ａ及び図１４Ａに示すように、押込位置にあるスライダ４の挿入凸部４２の後面４２ｂ（接点部側の面）と接点部３３との間の隙間である第１隙間Ｓ１は、電線７の厚みｔよりも小さくされている（Ｓ１＜ｔ）。前記隙間を拡げながら、電線７が挿入されて、スライダ４の挿入凸部４２の後面４２ｂと接点部３３との間に、電線７が弾性的に挟持される（図１４Ｂを参照）。
【００３７】
次いで、スライダロック機構６を説明する。
スライダロック機構６は、スライダ４に設けられた一対のロックアーム４４と、ハウジング２のロックアーム挿入孔２７の内側面２７ａに設けられた第２凹部１２とで構成されている。  一対のロックアーム４４は、ハウジング２の一対のロックアーム挿入孔２７に挿入されている。一対のロックアーム４４は、接続部４３の第２部分４３２の延設端から挿入方向Ｘ１に延びている。一対のロックアーム４４は、挿入凸部４２の一対の側面４２ｄに対して隙間を設けて対向している。
【００３８】
各ロックアーム４４は、接続部４３の第２部分４３２から挿入方向Ｘ１に延びるアーム本体４４ａと、アーム本体４４ａの先端部に設けられ外側方へ向くフック部４４ｂとを含む。
図７Ａに示すように、ロックアーム挿入孔２７の内側面２７ａは、第１凹部１１と、第１凹部１１の下側に隣接する第２凹部１２と、第１凹部１１と第２凹部１２とを接続する傾斜状の接続部１３とを含む。
【００３９】
ロックアーム４４のフック部４４ｂが、第２凹部１２に対して凹凸係合することにより、スライダ４が押込位置（図７Ａを参照）に係止される。すなわち、スライダ４を押込位置に係止するスライダロック機構６が、スライダ４のロックアーム４４と、ハウジング２の第２凹部１２とで構成されている。具体的には、スライダ４が押込位置にある状態で、フック部４４ｂが第２凹部１２に対して押圧力を及ぼさない状態（押圧力を解放する状態）とされている。押込位置にあるスライダ４が抜脱方向Ｘ２に移動しようとすると、その移動が接続部１３によって抑制される。
【００４０】
また、図７Ｂに示すように、ロックアーム４４のフック部４４ｂが、第１凹部１１の上側の端部に配置された下向きの位置決め段部１４に当接することにより、スライダ４が、引出位置に位置決めされる。このとき、フック部４４ｂが、第１凹部１１においてフック部４４ｂと対向する引出位置対向部１１ａを弾性的に押圧することにより、スライダ４が引出位置に仮保持される。引出位置対向部１１ａが、スライダ４を引出位置に仮保持する仮保持部として機能する。位置決め段部１４は、スライダ４の抜脱を規制するストッパとしても機能する。
【００４１】
また、第１凹部１１は、スライダ４が引出位置（図７Ｂを参照）と押込位置（図７Ａを参照）との間にスライドされるときに、フック部４４ｂから押圧力を受ける状態でフック部４４ｂと摩擦摺動する摩擦摺動部として機能する。また、押込位置側へ移動するに伴って、第３案内部５３がスライダ４を接点部３３側（後側）へ移動させるが、フック部４４ｂが摺動する第１凹部１１は、フック部４４ｂの後側への移動を許容するため、ロックアーム４４が案内部による案内を阻害することがない。
【００４２】
本実施形態によれば、図１４Ａ及び図１４Ｂに示すように、スライダ４が押込位置に配置された状態で、スライダ４とコンタクト３の接点部３３との間に形成される最小隙間が、電線７の厚みｔよりも小さい第１隙間Ｓ１に設定される。電線７をコネクタ１に接続する作業のときに、前記隙間に挿入される電線７（接続部材）によって、弾性アーム３２を撓ませて前記隙間を拡げつつ、電線７が挿入凹部８に挿入される。このため、電線７の挿入時や挿入後に、スライダ４を操作する作業が不要であり、作業性が向上する。また、電線７の挿入時に、ワイピング効果を得ることができる。
【００４３】
また、図１５Ａ及び図１５Ｂに示すように、スライダ４が引出位置に配置された状態で、スライダ４と接点部３３との間に形成される最小隙間が、電線７の厚みｔよりも大きい第２隙間Ｓ２に設定される。この第２隙間Ｓ２を通して、電線７を挿入凹部８から無抜脱力で容易に抜脱することができる。このため、電線７を抜脱して、当該電線７や別の電線７を再挿入するときの作業性が向上する。
【００４４】
また、スライダ４を押込位置（図６Ａを参照）から引出位置（図６Ｂを参照）に移動させるときに、スライダ４が、案内機構５の各案内部５１〜５３によって案内される途中で、第３案内部５３によって接点部３３側から遠ざかる側へ案内される。
また、図７Ａに示すように、スライダロック機構６のロックアーム４４のフック部４４ｂがハウジング２の第２凹部１２に対して凹凸係合することにより、スライダ４が押込位置に係止される。このため、電線７の挿入作業時にスライダ４が押込位置からずれることがなく、作業性が向上する。
【００４５】
また、図７Ｂに示すように、スライダ４が引出位置にあるときに、ロックアーム４４のフック部４４ｂが、ハウジング２の第１凹部１１の引出位置対向部１１ａを弾性的に押圧することにより、スライダ４が引出位置に仮保持される。このため、挿入凹部８から電線７を抜脱する作業が行い易く、作業性が向上する。スライダ４を押込位置に係止するスライダロック機構６が、スライダ４を引出位置に仮保持する機能を果たすので、別途に仮保持機構を設ける場合と比較して、構造を簡素化することができる。
【００４６】
また、作業者がスライダ４を引出位置（図７Ｂを参照）から押込位置（図７Ａを参照）に移動させる作業のときに、ロックアーム４４のフック部４４ｂがハウジング２の第１凹部１１（摩擦摺動部）に対して押圧力を及ぼして摩擦摺動する状態から、フック部４４ｂが第２凹部１２と係合してロックアーム４４の押圧力が解放される状態（図７Ａの押圧位置での状態）に移行する。これにより、作業者が、押込位置でクリック感を得ることができる。このため、目視等での確認作業が不要となり、作業性が向上する。
（第２実施形態）
次いで、本発明の第２実施形態に係るコネクタを説明する。
【００４７】
図１６（ａ）及び（ｂ）は、本発明の第２実施形態におけるコネクタ１Ｐの互いに別角度からの断面図であり、接続部材の接続工程において接続部材が挿入される直前の状態を示している。図１６（ａ）及び（ｂ）を参照して、第２実施形態のコネクタ１Ｐが第１実施形態のコネクタ１と主に異なるのは、下記である。
すなわち、コネクタ１Ｐには、ＦＦＣ（Flexible Flat Cable ）及びＦＰＣ（Flexible Printed Circuits ) の何れか一方で形成される平形接続部材７Ｐが接続される。また、コネクタ１Ｐは、平形接続部材７Ｐを挿入凹部８に対する挿入完了位置（図１８（ａ）を参照）に係止する一対の接続部材ロック機構９を備えている。
【００４８】
図１６（ａ）に示すように、接続部材ロック機構９は、平形接続部材７Ｐの挿入方向Ｘ１に沿う各縁部７Ｐａから突出する凸部９１に設けられた係合部９１ａと、ハウジング２Ｐに設けられ対応する係合部９１ａに係止するロックアーム９２とを含む。凸部９１の抜脱方向Ｘ２側の端部によって、係合部９１ａが構成されている。凸部９１の挿入方向Ｘ１側の端部によって、駆動部９１ｂが構成されている。
【００４９】
ロックアーム９２は、ハウジング２Ｐに片持ち状に支持されて抜脱方向Ｘ２側へ延び弾性的に揺動するアーム本体９２ａと、アーム本体９２ａの先端部に設けられたフック部９２ｂとを含む。フック部９２ｂは、平形接続部材７Ｐの凸部９１の係合部９１ａと係合する係止部９２ｃ（図１８（ａ）を参照）と、被駆動部９２ｄとを含む。被駆動部９２ｄは、挿入方向Ｘ１に対して傾斜している。
【００５０】
また、コンタクト３Ｐが、抜脱方向Ｘ２に対して傾斜状に延びる弾性アーム３２Ｐを含む。弾性アーム３２Ｐは、第１実施形態の弾性アーム３２とは逆向きに傾斜する第１片部６１と、第１片部６１に対して逆向きに傾斜する第２片部６２と、第１片部６１と第２片部６２との間の山形の頂部である接点部６３とを含む。
図１７（ａ）及び（ｂ）は、コネクタ１Ｐの互いに別角度からの断面図であり、平形接続部材７Ｐの接続途中の状態を示している。
【００５１】
平形接続部材７Ｐの挿入に際して、図１６（ａ）に示される状態から図１７（ａ）に示される状態に移行する途中で、凸部９１の駆動部９１ｂがロックアーム９２の被駆動部９２ｄを駆動することにより、ロックアーム９２が弾性的に撓まされる。これにより、ロックアーム９２が、平形接続部材７Ｐの挿入を許容する。
また、コンタクト３Ｐの弾性アーム３２Ｐの第２片部６２は、平形接続部材７Ｐの挿入時に、挿入側端部と当接することにより、弾性アーム３２Ｐを弾性的に撓ませて、図１７（ｂ）に示すように、平形接続部材７Ｐの挿入を許容する機能を果たす。
【００５２】
図１８（ａ）及び（ｂ）は、コネクタ１Ｐの互いに別角度からの断面図であり、平形接続部材７Ｐの接続が完了された状態を示している。図１８（ｃ）は、接続部材ロック機構９の要部の概略拡大図である。
図１８（ａ）に示すように、接続部材ロック機構９は、挿入凹部８に対する平形接続部材７Ｐの挿入完了状態（図１８（ｂ）を参照）で、ロックアーム９２のフック部９２ｂを平形接続部材７Ｐの凸部９１の係合部９１ａに引っ掛け係合させることにより、平形接続部材７Ｐを挿入完了位置に係止する。
【００５３】
図１９（ａ）及び（ｂ）は、第２実施形態におけるコネクタの互いに別角度からの断面図であり、平形接続部材７Ｐの抜脱工程においてスライダ４が引出位置に変位された状態を示している。
平形接続部材７Ｐが挿入完了位置にある状態でスライダ４が押込位置（図１８（ａ）及び（ｂ）を参照）から引出位置（図１９（ａ）及び（ｂ）を参照）に変位されるときに、コンタクト３Ｐの弾性アーム３２Ｐによる、平形接続部材７Ｐを介する押圧力で、スライダ４が、挿入方向Ｘ１と直交する方向に所定量ｋ（図１８（ａ）を参照）だけ変位される。
【００５４】
このとき、図１９（ａ）に示すように、平形接続部材７Ｐの係合部９１ａとロックアーム９２のフック部９２ｂとの係合が解除されるように、所定量ｋが、接続部材ロック機構９のフック部９２ｂと平形接続部材７Ｐの係合部９１ａとの係合代ｅ（図１８（ｃ）を参照）よりも大きくされている（ｋ＞ｅ）。
第２実施形態によれば、平形接続部材７Ｐが挿入完了位置にある状態でスライダ４を引出位置に変位させると、自動的に、接続部材ロック機構９による平形接続部材７Ｐに対するロックが解除される。このため、平形接続部材７Ｐの抜脱作業が行い易く、作業性が向上する。
【００５５】
本発明は、前記実施形態に限定されるものではなく、案内機構５において、第１案内部５１、第２案内部５２及び第３案内部５３が、スライダ４の挿入凸部４２の前面４２ａ（反対側面）に設けられてよい。
また、スライダロック機構６において、ロックアームがハウジング２に設けられ、ロックアームに凹凸係合する凹部がスライダ４に設けられてもよい。
【００５６】
また、コネクタ１に接続部材を挿入するときに、スライダ４が引出位置にある状態で、接続部材の厚みよりも大きい第２隙間Ｓ２を通して、接続部材が無挿入力（ＺＩＦ：Zero InsrtionN Force）で挿入されるようにしてもよい。
その他、本発明は、特許請求の範囲記載の範囲内で種々の変更を施すことができる。
【符号の説明】
【００５７】
１  コネクタ
２；２Ｐ  ハウジング
３；３Ｐ  コンタクト
４  スライダ
５  案内機構
６  スライダロック機構
７  電線（接続部材）
７Ｐ  平形接続部材
７Ｐａ  縁部
８  挿入凹部
９  接続部材ロック機構
１１  第１凹部（摩擦摺動部）
１１ａ  引出位置対向部（仮保持部）
１２  第２凹部
１３  接続部
３２；３２Ｐ  弾性アーム
３３  接点部
４２  挿入凸部
４２ａ  前面（反対側面）
４２ｂ  後面（接点部側の面）
４４  ロックアーム
４４ｂ  フック部
５１  第１案内部
５２  第２案内部
５３  第３案内部
６３  接点部
９１  凸部
９１ａ  係合部
９２  ロックアーム
９２ｂ  フック部
ｅ  係合代
ｋ  所定量
Ｓ１  第１隙間
Ｓ２  第２隙間
ｔ    厚み
Ｘ１  挿入方向
Ｘ２  抜脱方向
【図１】
2020092058.tif 000003
【図２】
2020092058.tif 000004
【図３Ａ】
2020092058.tif 000005
【図３Ｂ】
2020092058.tif 000006
【図４】
2020092058.tif 000007
【図５】
2020092058.tif 000008
【図６Ａ】
2020092058.tif 000009
【図６Ｂ】
2020092058.tif 000010
【図７Ａ】
2020092058.tif 000011
【図７Ｂ】
2020092058.tif 000012
【図８Ａ】
2020092058.tif 000013
【図８Ｂ】
2020092058.tif 000014
【図９】
2020092058.tif 000015
【図１０】
2020092058.tif 000016
【図１１Ａ】
2020092058.tif 000017
【図１１Ｂ】
2020092058.tif 000018
【図１２】
2020092058.tif 000019
【図１３Ａ】
2020092058.tif 000020
【図１３Ｂ】
2020092058.tif 000021
【図１３Ｃ】
2020092058.tif 000022
【図１４Ａ】
2020092058.tif 000023
【図１４Ｂ】
2020092058.tif 000024
【図１５Ａ】
2020092058.tif 000025
【図１５Ｂ】
2020092058.tif 000026
【図１６】
2020092058.tif 000027
【図１７】
2020092058.tif 000028
【図１８】
2020092058.tif 000029
【図１９】
2020092058.tif 000030